(57)【要約】【課題】読書を行う際など、指が接触する対象物との間の摩擦抵抗を向上することができる手袋を提供する。【解決手段】本発明に係る手袋は、親指袋、人差し指袋、及び中指袋を有する手袋本体と、前記親指袋、人差指袋、及び中指袋の少なくとも１つに設けられ、摩擦抵抗を生じさせる複数の線状体で構成された摩擦抵抗部と、を備え、前記複数の線状体は間隔をおいて配置されるとともに、少なくとも１つが湾曲しており、前記摩擦抵抗部の少なくとも一部の外形は、指先の湾曲形状に対応するように形成されている。【選択図】図１
2014101600.tif 000002
【特許請求の範囲】
【請求項１】
少なくとも親指袋、人差し指袋、及び中指袋を有する手袋本体と、
前記親指袋、人差指袋、及び中指袋の少なくとも１つに設けられ、摩擦抵抗を生じさせる複数の線状体で構成された摩擦抵抗部と、を備え、
前記複数の線状体は間隔をおいて配置されるとともに、少なくとも１つが湾曲しており、
前記摩擦抵抗部の少なくとも一部の外形が、湾曲した形状となっている、手袋。
【請求項２】
前記親指袋及び人差し指袋に、前記摩擦抵抗部が形成されており、
前記親指袋と人差し指袋とで、前記線状体の少なくとも１つの湾曲の向きが相違している、請求項１に記載の手袋。
【請求項３】
前記親指袋の線状体の少なくとも１つは、指先側に凸となるように湾曲し、
前記人差し指袋の線状体の少なくとも１つは、指の基端側に凸となるように湾曲している、請求項２に記載の手袋。
【請求項４】
前記親指袋、人差し指袋、及び中指袋の少なくとも１つに設けられた摩擦抵抗部の線状体は、指の延びる方向から所定の傾斜角をなして傾斜するように延びている、請求項１から３のいずれかに記載の手袋。
【請求項５】
前記親指袋、人差指袋、及び中指袋の少なくとも１つにおいて、先端部を含む少なくとも一部が、導電性繊維で形成された導電性領域を有しており、
前記摩擦抵抗部の少なくとも一部は、前記導電性領域上に形成されている、請求項１から４のいずれかに記載の手袋。
【請求項６】
前記導電性領域における指の幅方向の一端部側に、前記摩擦抵抗部が設けられている、請求項５に記載の手袋。
【発明の詳細な説明】
【技術分野】
【０００１】
本発明は、手袋に関する。
【背景技術】
【０００２】
一般的に、冬場になると、防寒のために手袋を装着することが多くなるが、手袋を装着したまま作業をすることがある。例えば、手袋を装着したまま、読書を行うことがあるが、このとき、手袋が布製の場合には、ページがめくりにくいという問題がある。そこで、特許文献１では、手袋の指先にゴムなどの摩擦抵抗を生ずる部材を取り付け、これによってページをめくりやすくしている。
【先行技術文献】
【特許文献】
【０００３】
【特許文献１】特開２００１−２２６８０９号公報
【発明の概要】
【発明が解決しようとする課題】
【０００４】
しかしながら、ページのめくりやすさについては、未だ改善の余地があり、さらにページをめくりやすい手袋が要望されていた。また、読書時のページをめくる際以外にも、紙幣を数えるとき、書類を数えたり、めくったりするときなど、指で紙やフィルムなどの対象物を掴んだりする場合には、摩擦抵抗を生じさせる必要があり、この点についてもさらなる改善が要望されていた。本発明は、上記問題を解決するものであり、読書を行う際など、指が接触する対象物との間の摩擦抵抗を向上することができる手袋を提供することを目的とする。
【課題を解決するための手段】
【０００５】
本発明に係る手袋は、親指袋、人差し指袋、及び中指袋を有する手袋本体と、前記親指袋、人差指袋、及び中指袋の少なくとも１つに設けられ、摩擦抵抗を生じさせる複数の線状体で構成された摩擦抵抗部と、を備え、前記複数の線状体は間隔をおいて配置されるとともに、少なくとも１つが湾曲しており、前記摩擦抵抗部の少なくとも一部の外形は、湾曲した形状となっている。
【０００６】
この構成によれば、親指袋、人差し指袋、及び中指袋の少なくとも１つに形成されている摩擦抵抗部が、間隔をおいて配置され、少なくとも１つが湾曲した複数の線状体で形成されている。そして、摩擦抵抗部の少なくとも一部の外形が湾曲している。このように、本発明に係る摩擦抵抗部は上述したような複数の線状体で形成することで、指紋の紋様を模したものとなっている。したがって、指が接触する対象物に対して、指紋のように、滑り止めとしての強い摩擦抵抗を生じさせることができる。そのため、手袋を装着したままで、読書を行うなどの作業や、紙、フィルムなどの対象物を掴んだり、めくったりする作業などを容易に行うことができる。
【０００７】
上記手袋においては、前記親指袋及び人差し指袋に、前記摩擦抵抗部を形成し、前記親指袋と人差し指袋とで、前記線状体の少なくとも１つの湾曲の向きを相違させることができる。
【０００８】
このようにすると、手袋を装着した状態で、親指と人差し指で、対象物を掴んだときに、対象物に対して、親指側と人差し指側とで抵抗が生ずる方向が反対になるので、対象物が親指と人差し指との間で滑るのを確実に防止することができる。
【０００９】
このとき、線状体の向きは、種々の方向にすることができるが、例えば、前記親指袋の線状体の少なくとも１つを、先端側に凸となるように湾曲させ、前記人差し指袋の線状体の少なくとも１つを、基端側に凸となるように湾曲させることができる。
【００１０】
また、上記手袋においては、前記親指袋、人差し指袋、及び中指袋の少なくとも１つに設けられた摩擦抵抗部の線状体を、指の延びる方向から所定の傾斜角をなして傾斜するように延ばすことができる。
【００１１】
このようにすると、次のような効果を得ることができる。例えば、指の延びる方向と垂直な方向に線状体を延ばすと、指の幅が線状体の長さの上限になってしまうが、上記のようにすると、線状体をより長く延ばすことができ、対象物との接触面積を大きくすることができる。
【００１２】
上記手袋においては、前記親指袋、人差指袋、及び中指袋の少なくとも１つが、先端部を含む少なくとも一部に、導電性繊維で形成された導電性領域を有するように構成し、前記摩擦抵抗部の少なくとも一部を、前記導電性領域上に形成することができる。
【００１３】
このようにすると、手袋を装着したままでも、導電性領域により、静電容量式タッチパネルの操作を行うことができる。したがって、滑り止め効果を得ることができるとともに、スマートフォンなどのタッチパネルの操作を行うことができる。
【００１４】
また、前記導電性領域における指の幅方向の一端部側に、前記摩擦抵抗部を設けることができる。このようにすると、摩擦抵抗部が設けられていない部分を、直接タッチパネルに接触させることができる。これにより、導電性領域が、摩擦抵抗部に干渉することなく、タッチパネルの操作をスムーズに行うことができる。
【発明の効果】
【００１５】
本発明に係る手袋によれば、読書を行う際など、指が接触する対象物との間の摩擦抵抗を向上することができる
【図面の簡単な説明】
【００１６】
【図１】本発明の一実施形態に係る手袋を手のひら側から見た平面図である。
【図２】摩擦抵抗部の他の例を示す平面図である。
【図３】図１の手袋の他の例を示す平面図である。
【図４】図１の手袋の他の例を示す平面図である。
【発明を実施するための形態】
【００１７】
以下、本発明の一実施形態に係る手袋について、図面を参照しつつ説明する。図１は、本実施形態に係る手袋を手のひら側から見た平面図である。
【００１８】
図１に示すように、本実施形態に係る手袋は、ウールやメリヤスなどの織布により形成された手袋本体１を備えている。手袋本体１は、通常の手袋と同様に手の甲と手の平を覆う本体部１１を備えており、この本体部１１に親指袋１２、人差し指袋１３、中指袋１４、薬指袋１５、及び小指袋１６が連結されている。各指袋１２〜１６には、それぞれ、親指、人差し指、中指、薬指、及び小指が収容される。
【００１９】
本実施形態においては、手のひら側における、親指袋１２の先端部、人差し指袋１３の先端部、及び中指袋１４の先端部に、それぞれ摩擦抵抗部２１、２２、２３が設けられている。ここでは、説明の便宜上、親指袋１２、人差し指袋１３、及び中指袋１４の摩擦抵抗部を、それぞれ、第１，第２，及び第３摩擦抵抗部２１〜２３と称することとする。各摩擦抵抗部２１〜２３は、複数の線状体２１１，２２１，２３１が略平行に配置されることで構成されている。各線状部２１１〜２３１は、ゴム、シリコン、ウレタン，ＰＶＣなどの合成樹脂材料などの摩擦抵抗を生じる材料で形成されている。そして、これら材料の各指袋の先端部へ取付は種々の方法があるが、例えば、上述した材料を溶融した状態で各指袋へ塗布(印刷)することができる。こうして、摩擦抵抗部２１１〜２３１は、各指袋の先端部に融着される。以下、各摩擦抵抗部２１１〜２３１について、詳細に説明する。
【００２０】
中指袋１４に設けられた第３摩擦抵抗部２３は指の先端部の形状に対応するように、先端が湾曲した矩形状に形成されている。より詳細に説明すると、摩擦抵抗部２３を構成する複数の線状体２３１は、指の延びる方向Ｘ３と概ね垂直な方向に延びており、指先の湾曲形状に対応するように、指先側に凸となるように湾曲している。また、複数の線状体２３１のうち、指先側に配置されているいくつかの線状体２３１は長さが短くなっている。
【００２１】
人差し指袋１３に設けられた第２摩擦抵抗部２２も、第３摩擦抵抗部２３と同様に形成されている。すなわち、各線状部２２１は、指の先端部の形状に対応するように、指先側に凸となるように湾曲している。但し、各線状体２２１は、指の延びる方向Ｘ２に対し、概ね２０〜５０°の角度αをなして、親指側の端部が指の基端部側に傾斜している。これにより、第２摩擦抵抗部２２は、全体として、第３摩擦抵抗部２３よりも、指の延びる方向Ｘの長さが長くなっている。線状体の幅は、特には限定されないが、例えば、０．２〜１０ｍｍ程度にすることができ、０．５〜５ｍｍ程度にすることが好ましく、０．５〜３ｍｍ程度にすることがさらに好ましい。また、線状体の間隔も同程度にすることができる。
【００２２】
親指袋１２の第１摩擦抵抗部２１は、指の先端部の形状に対応するように、先端が湾曲した矩形状に形成されているが、各線状体２１１は指の基端側に凸となるように湾曲しており、第２及び第３摩擦抵抗部２２１，２３１とは湾曲の向きが概ね反対方向になっている。また、親指袋１２の線状体２１１も、第２摩擦抵抗部２２１と同様に傾斜している。すなわち、各線状体２１１は、指の延びる方向Ｘ１に対し、中指側の端部が指の基端部側に傾斜している。
【００２３】
以上のように、本実施形態によれば、親指袋１２、人差し指袋１３、及び中指袋１４に形成されている各摩擦抵抗部２１〜２３が、略平行に配置されて、湾曲した複数の線状体２１１〜２３１で構成されている。そして、各摩擦抵抗部２１〜２３の先端側の外形は、指先の湾曲形状に対応している。このように、各摩擦抵抗部２１〜２３は、複数の線状体２１１〜２３１で形成することで、指紋の紋様を模したものとなっている。したがって、指が接触する対象物に対して、指紋のように、滑り止めとしての強い摩擦抵抗を生じさせることができる。そのため、例えば、手袋を装着した状態で、読書を行う際に、指先でページを確実にとらえてページをめくることができる。
【００２４】
また、上記手袋においては、第１及び第２摩擦抵抗部２１，２２における線状体２１１，２２１の湾曲の向きが概ね反対になっているため、手袋を装着した状態で、親指と人差し指で、対象物を掴んだときに、対象物に対して、親指側と人差し指側とで抵抗が生ずる方向が反対になるので、対象物が親指と人差し指との間で滑るのを確実に防止することができる。
【００２５】
また、第１及び第２摩擦抵抗部２１、２２のように、線状体２１１，２２１を傾斜させると、指紋の紋様を模した形態のままで、指の延びる方向に摩擦抵抗部２１，２２を延ばすことができ、対象物と摩擦抵抗部２１，２２との接触面積を大きくすることができる。その結果、滑り止め効果を向上することができる。
【００２６】
以上、本発明の一実施形態について説明したが、本発明は、上記実施形態に限定されるものではなく、その趣旨を逸脱しない限りにおいて、種々の変更が可能である。例えば、上記実施形態で示した摩擦抵抗部２１〜２３の形態は一例であり、各摩擦抵抗部２１〜２３が間隔をおいた複数の線状体２１１〜２３１で形成され、少なくとも１つが湾曲し、且つ摩擦抵抗部２１〜２３の少なくとも一部の外形が、湾曲した形状になっていれば、種々の形態が可能である。すなわち、線状部２１１〜２３１が指紋を模したように、摩擦抵抗部２１〜２３が形成されていればよい。また、摩擦抵抗部２１〜２３の外形は指先に対応するように、先端部が湾曲しているほか、先端以外の部分が湾曲したり、あるいは全体的に円形または楕円状に形成することもできる。
【００２７】
したがって、図２のような摩擦抵抗部を例示できる。例えば、上記実施形態では、各摩擦抵抗部２１〜２３のすべての線状体２１１〜２３１を湾曲させているが、摩擦抵抗部２１〜２３の外形の一部が湾曲していればよいため、少なくも１つの線状体が湾曲していればよい（例えば、図２（ｂ）、図２（ｃ））。但し、指紋の紋様のような効果を向上するためには、複数の線状体２１１〜２３１が湾曲していることが好ましい。また、一部に閉じた形態が入ってもよい（図２（ａ））。さらに、摩擦抵抗部の外形の少なくとも一部が湾曲していればよいが、上記実施形態のように、指先の湾曲形状に対応するような外形であるほか、指の基端側や側部側に湾曲していてもよいし（図２（ｄ）、図２（ｅ））、外形の概ね全体が楕円状あるいは円形状に湾曲していてもよい（図２（ａ））。また、指先に行くにしたがって、線状体の長さが小さくなってもよい（図２（ｆ））。線状体の湾曲は、１つだけでなく、１つの線状体に複数の湾曲部分を有してもよく、例えば、波形にすることができるが、その向きは特には限定されない（図２（ｇ），図２（ｈ））。また、線状体をＵ字型にしてもよく、複数の線状体を相似形にすることができる（図２（ｉ））。
【００２８】
また、摩擦抵抗部２１〜２３は、親指袋１２、人差し指袋１３、及び中指袋１４にそれぞれ設けられているが、これに限定されるものではなく、そのうちのいずれか１つに設けられていてもよい。また、図３に示すように、薬指袋１５及び小指袋１６を含めたすべての指袋に設けることもできる。
【００２９】
上記実施形態では、親指袋１２の線状体２１１と、人差し指袋１３の線状体２２１の湾曲方向が概ね反対となっているが、少なくとも湾曲方向が相違していればよく、必ずしも反対でなくてもよい。なお、図２（ｇ），（ｈ）のように、１つの線状体に複数の湾曲部分が設けられている場合には、少なくとも１つの湾曲部分の方向が異なる方法を向いていればよい。
【００３０】
また、上記のように構成された手袋を、静電容量式のタッチパネルで使用できるように構成することもできる。例えば、図４に示すように、親指袋１２及び人差し指袋１３の先端部に、導電性繊維で形成された導電性領域１２１、１３１を設けることができる。そして、各摩擦抵抗部２１、２２の少なくとも一部が、導電性領域１２１、１３１に配置されていればよい。導電性繊維としては、特に制限なく広い範囲のものから選択でき、例えば、繊維の芯部にカーボンブラック、金属（例えば、銅や銀）、金属酸化物等の導電物質を含有する芯鞘型複合紡糸繊維や、繊維表面に金属（例えば、銅や銀）を蒸着したもの、さらに金属繊維や炭素繊維、イオン導電性ポリマーからなる繊維等の導電性材料からなるもの等の公知の導電性繊維を使用できる。
【００３１】
また、図２の例では、各摩擦抵抗部２１，２２を指の幅方向の一方側に配置している。例えば、第２摩擦抵抗部２２は中指側の側部に配置され、第１摩擦抵抗部２１は人差し指側の側部に配置されている。これにより、例えば、人差し指袋１３の導電性領域１３１は、親指側において摩擦抵抗部が配置されていないため、この部分（非摩擦抵抗部）をタッチパネルに接触させれば、タッチパネルをスムーズに操作することができる。すなわち、導電性領域１２１、１３１に、摩擦抵抗部が形成されていない部分を設けることで、摩擦抵抗部２１、２２に干渉することなく、導電性領域１２１、１３１を直接タッチパネルに接触させることができる。但し、摩擦抵抗部が形成されていない部分は、導電性領域１２１，１３１のいずれの部分に設けることもでき、例えば、先端側に設けることもできる。また、他の指袋１４〜１６に導電性領域を形成することもできる。
【符号の説明】
【００３２】
１  手袋本体
１１  本体部
１２  親指袋
１３  人差し指袋
１４  中指袋
１５  薬指袋
１６  小指袋
２１、２２、２３  摩擦抵抗部
２１１、２２１、２３１  線状体
【図１】
2014101600.tif 000003
【図２】
2014101600.tif 000004
【図３】
2014101600.tif 000005
【図４】
2014101600.tif 000006